(57)【要約】【課題】基地局を利用しないで、かつ、ユーザにとって煩わしい操作を必要とすることなく、個人を特定する情報を容易に記録する。【解決手段】本発明に係る充電装置１０は、携帯端末２０への充電の開始を検出する充電検出部１０１ａと、充電検出部１０１ａが充電の開始を検出した後、携帯端末２０から個人を特定する情報を取得する情報取得部１０１ｂと、情報取得部１０１ｂが取得した個人を特定する情報を記録する情報記録部１０１ｃと、を備える。【選択図】図２
2013074342.tif 000002
【特許請求の範囲】
【請求項１】
携帯端末への充電の開始を検出する充電検出手段と、
前記充電検出手段が前記充電の開始を検出した後、前記携帯端末から個人を特定する情報を取得する情報取得手段と、
前記情報取得手段が取得した前記個人を特定する情報を記録する情報記録手段と、を備える、
ことを特徴とする充電装置。
【請求項２】
前記個人を特定する情報は、前記携帯端末に記録された前記携帯端末の所有者を特定する情報である、
ことを特徴とする請求項１に記載の充電装置。
【請求項３】
充電装置により行われる充電の開始を検出する充電検出手段と、
前記充電検出手段が前記充電の開始を検出した後、個人を特定する情報を前記充電装置に提供する情報提供手段と、を備える、
ことを特徴とする携帯端末。
【請求項４】
前記個人を特定する情報は、端末本体に記録された所有者を特定する情報である、
ことを特徴とする請求項３に記載の携帯端末。
【請求項５】
携帯端末と、前記携帯端末への充電を行う充電装置とを備える情報記録システムであって、
前記充電装置は、
前記携帯端末への充電の開始を検出する充電検出手段と、
前記充電検出手段が前記充電の開始を検出した後、前記携帯端末から個人を特定する情報を取得する情報取得手段と、
前記情報取得手段が取得した前記個人を特定する情報を記録する情報記録手段と、を備え、
前記携帯端末は、
前記充電装置により行われる充電の開始を検出する充電検出手段と、
前記充電検出手段が前記充電の開始を検出した後、前記個人を特定する情報を前記充電装置に提供する情報提供手段と、を備える、
ことを特徴とする情報記録システム。
【請求項６】
携帯端末への充電の開始を検出する充電検出ステップと、
前記充電検出ステップで前記充電の開始を検出した後、前記携帯端末から個人を特定する情報を取得する情報取得ステップと、
前記情報取得ステップで取得した前記個人を特定する情報を記録する情報記録ステップと、を有する、
ことを特徴とする情報記録方法。
【請求項７】
充電装置により行われる充電の開始を検出する充電検出ステップと、
前記充電検出ステップで前記充電の開始を検出した後、個人を特定する情報を前記充電装置に提供する情報提供ステップと、を有する、
ことを特徴とする情報提供方法。
【請求項８】
コンピュータに、
携帯端末への充電の開始を検出する充電検出手順と、
前記充電検出手順で前記充電の開始を検出した後、前記携帯端末から個人を特定する情報を取得する情報取得手順と、
前記情報取得手順で取得した前記個人を特定する情報を記録する情報記録手順と、を実行させる、
ことを特徴とする情報記録プログラム。
【請求項９】
コンピュータに、
充電装置により行われる充電の開始を検出する充電検出手順と、
前記充電検出手順で前記充電の開始を検出した後、個人を特定する情報を前記充電装置に提供する情報提供手順と、を実行させる、
ことを特徴とする情報提供プログラム。
【発明の詳細な説明】
【技術分野】
【０００１】
本発明は、充電装置、携帯端末、情報記録システム、情報記録及び提供方法、ならびに情報記録及び提供プログラムに関する。
【背景技術】
【０００２】
大規模な震災の発生時において、災害用の伝言板として開設された災害用伝言板データベースに、ユーザが所有する携帯電話等を用いて自身の安否を伝える情報を登録するシステムが下記の特許文献１に開示されている。
【先行技術文献】
【特許文献】
【０００３】
【特許文献１】特開２００７−３４９６６号公報
【発明の概要】
【発明が解決しようとする課題】
【０００４】
しかしながら、上記システムにおいて、携帯電話と災害用伝言板データベースとの間で行う通信を中継する基地局が何らかの原因で使用できなくなった場合に自身の安否を伝える情報を登録できない、という問題があった。また、上記システムが使用可能であっても、自身の安否を伝える情報を災害用伝言板データベースに登録する際に、ユーザは、携帯電話を用いて災害用伝言板データベースとの間で通信を行う操作や、自身の安否を伝える情報を入力する操作を行う必要がある。このような操作を大規模な震災の発生したときのような逼迫した状況下において行うのは、ユーザにとって非常に煩わしい、という問題があった。
【０００５】
本発明は、このような問題に鑑みてなされたものであり、基地局を利用しないで、かつ、ユーザにとって煩わしい操作を必要とすることなく、個人を特定する情報を容易に記録できる、充電装置、携帯端末、情報記録システム、情報記録及び提供方法、ならびに情報記録及び提供プログラムを提供することを目的とする。
【課題を解決するための手段】
【０００６】
本発明の第１の観点に係る充電装置は、
携帯端末への充電の開始を検出する充電検出手段と、
前記充電検出手段が前記充電の開始を検出した後、前記携帯端末から個人を特定する情報を取得する情報取得手段と、
前記情報取得手段が取得した前記個人を特定する情報を記録する情報記録手段と、を備えることを特徴とする。
【０００７】
本発明の第２の観点に係る携帯端末は、
充電装置により行われる充電の開始を検出する充電検出手段と、
前記充電検出手段が前記充電の開始を検出した後、個人を特定する情報を前記充電装置に提供する情報提供手段と、を備えることを特徴とする。
【０００８】
本発明の第３の観点に係る情報記録システムは、
携帯端末と、前記携帯端末への充電を行う充電装置とを備える情報記録システムであって、
前記充電装置は、
前記携帯端末への充電の開始を検出する充電検出手段と、前記充電検出手段が前記充電の開始を検出した後、前記携帯端末から個人を特定する情報を取得する情報取得手段と、前記情報取得手段が取得した前記個人を特定する情報を記録する情報記録手段と、を備え、
前記携帯端末は、
前記充電装置により行われる充電の開始を検出する充電検出手段と、前記充電検出手段が前記充電の開始を検出した後、前記個人を特定する情報を前記充電装置に提供する情報提供手段と、を備えることを特徴とする。
【０００９】
本発明の第４の観点に係る情報記録方法は、
携帯端末への充電の開始を検出する充電検出ステップと、
前記充電検出ステップで前記充電の開始を検出した後、前記携帯端末から個人を特定する情報を取得する情報取得ステップと、
前記情報取得ステップで取得した前記個人を特定する情報を記録する情報記録ステップと、を有することを特徴とする。
【００１０】
本発明の第５の観点に係る情報提供方法は、
充電装置により行われる充電の開始を検出する充電検出ステップと、
前記充電検出ステップで前記充電の開始を検出した後、個人を特定する情報を前記充電装置に提供する情報提供ステップと、を有することを特徴とする。
【００１１】
本発明の第６の観点に係る情報記録プログラムは、
コンピュータに、
携帯端末への充電の開始を検出する充電検出手順と、
前記充電検出手順で前記充電の開始を検出した後、前記携帯端末から個人を特定する情報を取得する情報取得手順と、
前記情報取得手順で取得した前記個人を特定する情報を記録する情報記録手順と、を実行させることを特徴とする。
【００１２】
本発明の第７の観点に係る情報提供プログラムは、
コンピュータに、
充電装置により行われる充電の開始を検出する充電検出手順と、
前記充電検出手順で前記充電の開始を検出した後、個人を特定する情報を前記充電装置に提供する情報提供手順と、を実行させることを特徴とする。
【発明の効果】
【００１３】
本発明によれば、基地局を利用しないで、かつ、ユーザにとって煩わしい操作を必要とすることなく、個人を特定する情報を容易に記録できる。
【図面の簡単な説明】
【００１４】
【図１】本発明の一実施形態に係る情報記録システムの構成を示した図である。
【図２】図１に示した充電装置において特に重要な構成を示したブロック図である。
【図３】図１に示した充電装置の具体的な構成を示したブロック図である。
【図４】図１に示した携帯電話において特に重要な構成を示したブロック図である。
【図５】図１に示した携帯電話の具体的な構成を示したブロック図である。
【図６】（ａ）は充電装置に携帯電話を載置したときの状態を示した平面図、（ｂ）は（ａ）のＸ−Ｘ’線の断面を矢印方向に見た断面図である。
【図７】（ａ）は情報記録前の安否情報入力フォームを示した図、（ｂ）は住所情報と１つの携帯電話番号とが入力された安否情報入力フォームを示した図、（ｃ）は住所情報と４つの携帯電話番号とが入力された安否情報入力フォームを示した図
【図８】災害用伝言板データベースに記録する安否情報を示した図である。
【図９】携帯電話の所有者を特定する情報を有するプロフィール情報を示した図である。
【図１０】本発明の一実施形態に係る充電装置が行う処理のフローチャートである。
【図１１】本発明の一実施形態に係る携帯電話が行う処理のフローチャートである。
【図１２】パソコンの表示画面に表示される安否情報を示した図である。
【発明を実施するための形態】
【００１５】
以下、本発明の実施形態について図面を参照して説明する。
【００１６】
はじめに、図１を参照して、情報記録システム１の構成を説明する。本システム１は、充電装置１０と、携帯電話２０と、災害用伝言板データベース３０とを備える。本システム１は、携帯電話２０の使用に欠かせない充電装置１０を用いて、充電装置１０によって携帯電話２０の充電が行われている際に、充電装置１０が携帯電話２０に記録された個人を特定する情報を携帯電話２０から取得し、取得した情報を災害用伝言板データベース３０に記録するシステムである。本システム１によれば、被災地域の基地局ＢＳが輻輳状態となった場合や損壊した場合等、基地局ＢＳが何らかの原因で使用できない場合であっても、携帯端末２０から個人を特定する情報をユーザにとって煩わしい操作を必要とすることなく、個人を特定する情報を容易に記録できる。
【００１７】
充電装置１０は、携帯電話２０への充電の開始を検出し、これに応じて、携帯電話２０と通信を行うことにより、携帯電話２０に記録された個人を特定する情報を携帯電話２０から取得する。個人を特定する情報は、例えば、携帯電話２０の所有者を特定する情報であり、具体的には、携帯電話２０の電話番号等がある。以下の説明では、携帯電話２０に記録された携帯電話番号を、個人を特定する情報の一例として説明する。
【００１８】
充電装置１０は、携帯電話２０から取得した携帯電話番号を用いて災害用伝言板データベース３０に記録する安否情報を生成し、生成した安否情報を、ネットワークＮＷを介して災害用伝言板データベース３０に記録する。
【００１９】
携帯電話２０は、被災者本人が所有する携帯電話である。携帯電話２０は、充電装置１０によって充電される。携帯電話２０は、充電時、充電装置１０と非接触通信を行って、携帯電話２０の携帯電話番号を充電装置１０に提供する。
【００２０】
災害用伝言板データベース３０は、大規模な震災の発生時において、災害用の伝言板として開設されたデータベースである。被災地域外にいるユーザは、パソコン４０等の端末を用いてネットワークＮＷを介して災害用伝言板データベース３０に接続することにより、災害用伝言板データベース３０に記録された身内や友人の安否情報を確認する。なお、ネットワークＮＷは、インターネット、ＬＡＮ（Local Area Network）、ＷＡＮ（Wide Area Network）等が用いられる。
【００２１】
図１に示した充電装置１０は、図２に示すように、充電検出部１０１ａと、情報取得部１０１ｂと、情報記録部１０１ｃとを、特に重要な構成として備える。充電検出部１０１ａ、情報取得部１０１ｂ、及び情報記録部１０１ｃは、充電装置１０のＣＰＵが充電装置１０に記録された情報記録プログラムを実行することにより機能し、後述の情報記録処理を行う。
【００２２】
充電装置１０は、具体的には、図３に示すように、制御部１０１と、記憶部１０２と、非接触通信部１０３と、ＧＰＳ（Global Positioning System）通信部１０４と、電源部１０５と、ネットワーク通信部１０６とを備える。
【００２３】
制御部１０１は、充電装置１０全体を制御する。制御部１０１は、物理的には、例えば、ＣＰＵ(Central Processing Unit)、ＣＰＵのメインメモリとして機能するＲＡＭ（Random Access Memory）、タイマ等によって実現される。なお、制御部１０１は、一部がＡＳＩＣ（Application Specific Integrated Circuit）等の専用回路から構成されてもよい。
【００２４】
また、制御部１０１は、機能的には、上記の充電検出部１０１ａ、情報取得部１０１ｂ、及び情報記録部１０１ｃを備える。
【００２５】
充電検出部１０１ａは、電源部１０５から出力される電流の値の変化を基に携帯電話２０への充電の開始を検出する。携帯電話２０への充電は、例えば、図６に示すように、充電装置１０の上面部（パッド部分）に携帯電話２０が載置されたときに開始される。このとき、電源部１０５から出力される電流の値は変化し、この変化を基に充電検出部１０１ａは携帯電話２０への充電の開始を検出する。これにより、充電装置１０の上面部に複数の携帯電話２０が載置された場合、充電検出部１０１ａは、それぞれの携帯電話２０への充電の開始を検出する。
【００２６】
情報取得部１０１ｂは、充電検出部１０１ａが充電の開始を検出した後、携帯電話２０との間で行う非接触通信を制御することにより、携帯電話２０から携帯電話番号を取得する。充電装置１０の上面部に複数の携帯電話２０が載置された場合、情報取得部１０１ｂは、充電検出部１０１ａによって充電の開始が検出された携帯電話２０から携帯電話番号（個人を特定する情報）を順次取得する。
【００２７】
情報記録部１０１ｃは、災害用伝言板データベース３０に記録する情報（安否情報）を、情報取得部１０１ｂが取得した携帯電話番号を用いて生成する。情報記録部１０１ｃは、生成した安否情報を災害用伝言板データベース３０に記録する。
【００２８】
記憶部１０２は、制御部１０１が各種処理を行うために使用する各種プログラムやデータ等を記憶する。記憶部１０２は、例えば、ＲＯＭ（Read Only Memory）やフラッシュメモリ等の不揮発性メモリによって実現される。記憶部１０２は、上記の情報記録プログラム１０２ａ、位置情報変換テーブル１０２ｂ、安否情報入力フォーム１０２ｃを記憶する。
【００２９】
位置情報変換テーブル１０２ｂは、緯度・経度と住所との対応関係を表したテーブルである。この位置情報変換テーブル１０２ｂを用いて、情報取得部１０１ｂは、ＧＰＳ通信部１０４を用いて取得する充電装置１０の現在位置（緯度・経度情報）に対応する住所情報を取得する。
【００３０】
安否情報入力フォーム１０２ｃは、安否情報の生成に用いられるデータである。情報記録部１０１ｃは、情報取得部１０１ｂが取得した携帯電話番号を安否情報入力フォーム１０２ｃに入力して安否情報を生成する。例えば、図７（ａ）に示すように、安否情報入力フォーム１０２ｃは、住所を入力する項目と、携帯電話番号を入力する項目とを有する。情報記録部１０１ｃは、情報取得部１０１ｂが取得した携帯電話番号、及び、充電装置１０の現在位置の住所を、図７（ｂ），（ｃ）に示すように、安否情報入力フォーム１０２ｃの対応する項目に入力していく。情報記録部１０１ｃは、安否情報入力フォーム１０２ｃに入力された情報を基に図８に示すような安否情報を生成し、生成した安否情報を、ネットワーク通信部１０６を介して災害用伝言板データベース３０に記録する。
【００３１】
非接触通信部１０３は、IEEE802.11、Bluetooth（登録商標）、赤外線通信、ICタグ機能、TransferJET（登録商標）等の通信方式に基づいて、一定の通信エリア内に存在する携帯電話２０と非接触通信を行う。非接触通信部１０３は、情報取得部１０１ｂの制御のもと、図１の基地局ＢＳやアクセスポイントを介さず、携帯電話２０との間で直接的に通信を行う。
【００３２】
ＧＰＳ通信部１０４は、ＧＰＳ衛星との通信によって、ＧＰＳ衛星から充電装置１０の現在位置を緯度・経度で表した緯度・経度情報を受信し、これを情報取得部１０１ｂに供給する。
【００３３】
電源部１０５は、ＡＣ電源からの電力を受け取る。充電装置１０の各構成は、電源部１０５がＡＣ電源から受け取る電力によって動作する。また、電源部１０５は、ＡＣ電源から受け取った電力を用いて携帯電話２０を充電する。電源部１０５は、ＡＣ電源を充電用の電源（ＤＣ電源）に変換する電源変換機能と、充電用の電源を携帯電話２０に供給して携帯電話２０を充電する充電機能とを備える。電源変換機能は、例えば、ＡＣ−ＤＣコンバータ等によって実現される。一方、充電機能は、例えば、無接点充電規格Ｑｉ（チー）に準拠した無接点充電モジュールによって実現される。
【００３４】
より具体的には、無接点充電モジュールは、携帯電話２０の受電コイル（二次コイル）を検出するセンサと、受電コイルと電磁結合する送電コイル（一次コイル）と、送電コイルを平面移動させるコイル移動部とを備える。携帯電話２０の受電コイルをセンサが検出すると、コイル移動部は、携帯電話２０が載置された位置に送電コイルを移動させる。携帯電話２０が載置された位置に移動した送電コイルは、携帯電話２０の受電コイルと電磁結合し、携帯電話２０に充電用の電源（所定電圧の直流電源）が供給され、携帯電話２０が充電される。
【００３５】
ネットワーク通信部１０６は、情報記録部１０１ｃの制御のもと、災害用伝言板データベース３０とネットワークＮＷを介して通信を行う。ネットワーク通信部１０６は、コネクタ等を含む通信装置によって実現される。なお、ネットワーク通信部１０６のネットワークＮＷへの接続は、有線、無線のいずれの接続手段を用いても良い。
【００３６】
次に、図４を参照して、図１に示した携帯電話２０を説明する。携帯電話２０は、特に、充電検出部２０１ａと、情報提供部２０１ｂとを、特に重要な構成として備える。充電検出部２０１ａ及び情報提供部２０１ｂは、携帯電話２０のＣＰＵが携帯電話２０に記録された情報提供プログラムを実行することにより機能し、後述の情報提供処理を行う。
【００３７】
携帯電話２０は、具体的には、図５に示すように、制御部２０１と、記憶部２０２と、非接触通信部２０３と、電話通信部２０４と、電源部２０５と、表示部２０６と、操作部２０７と、音声入出力部２０８と、報知部２０９とを備える。
【００３８】
制御部２０１は、携帯電話２０全体を制御する。制御部２０１は、物理的には、例えば、ＣＰＵ、ＲＡＭ、タイマ等によって実現される。なお、制御部２０１は、一部がＡＳＩＣ等の専用回路から構成されてもよい。
【００３９】
また、制御部２０１は、機能的には、充電検出部２０１ａと、情報提供部２０１ｂとを備える。充電装置検出部２０１ａ、情報提供部２０１ｂは、それぞれ制御部２０１の一部を構成するＣＰＵが記憶部２０２に記録された情報提供プログラム２０２ａを実行することにより機能する。
【００４０】
充電検出部２０１ａは、電源部２０５に所定電圧の直流電源が供給された場合に充電装置１０により行われる充電の開始を検出する。
【００４１】
情報提供部２０１ｂは、充電検出部２０１ａが充電の開始を検出した後、記憶部２０２に記録されたプロフィール情報２０２ｂを読み出し、読み出したプロフィール情報２０２ｂから携帯電話番号（個人を特定する情報）を抽出する。情報提供部２０１ｂは、抽出した携帯電話番号を、携帯充電装置１０との間で行う非接触通信を制御することにより、充電装置１０に提供する。
【００４２】
記憶部２０２は、制御部２０１が各種処理を行うために使用する各種プログラムやデータ等を記憶する。記憶部２０２は、例えば、ＲＯＭやフラッシュメモリ等の不揮発性メモリによって実現される。記憶部２０２は、情報提供プログラム２０２ａ、プロフィール情報２０２ｂを記憶する。
【００４３】
プロフィール情報２０２ｂは、携帯電話２０の所有者のプロフィールを表す情報である。プロフィール情報２０２ｂが表す所有者のプロフィールには、例えば、図９に示すように、携帯電話２０の所有者の氏名、読み仮名、携帯電話番号、自宅の電話番号、携帯用メールアドレス、ＰＣ用メールアドレス、誕生日、血液型等の情報がある。特に、携帯電話番号、自宅の電話番号、携帯用メールアドレス、ＰＣ用メールアドレスは、それぞれ、個人を特定する情報を表す。情報提供部２０１ｂは、このうちの携帯電話番号を抽出する。
【００４４】
非接触通信部２０３は、IEEE802.11、Bluetooth（登録商標）、赤外線通信、ICタグ機能、TransferJET（登録商標）等の通信方式に基づいて、一定の通信エリア内に存在する充電装置１０と非接触通信を行う。非接触通信部２０３は、情報提供部２０１ｂの制御のもと、図１の基地局ＢＳやアクセスポイントを介さず、充電装置１０との間で直接的に通信を行う。
【００４５】
電話通信部２０４は、制御部２０１の制御のもと、図１の基地局ＢＳを介して通話音声や各種データ等を送受信する。電話通信部２０４は、例えば、Ｗ−ＣＤＭＡ（Wideband Code Division Multiple Access）、ＥＶ−ＤＯ（Evolution Data Only）、ＷｉＭＡＸ（Worldwide Interoperability for Microwave Access）、ＬＴＥ（LongTerm Evolution）等の広域無線通信方式に基づいて他の携帯電話２０との間で電話通信を行う。
【００４６】
電源部２０５は、携帯電話２０の電源として用いられる二次電池と、充電装置１０から受け取る充電用の電源（ＤＣ電源）によって二次電池を充電する充電機能とを備える。二次電池は、例えば、リチウムイオンバッテリ等によって実現される。一方、充電機能は、例えば、無接点充電規格Ｑｉ（チー）に準拠した無接点充電モジュールによって実現される。
【００４７】
より具体的には、無接点充電モジュールは、充電装置１０の送電コイル（一次コイル）と電磁結合する受電コイル（二次コイル）と、受電コイルに伝送される充電用の電源によって二次電池の充電を制御する充電制御回路とを備える。
【００４８】
表示部２０６は、制御部２０１から供給される各種画像データ等に基づいて各種画像を画面に表示する。表示部２０６は、例えば、液晶表示装置、有機ＥＬ(Electro Luminescence)表示装置等によって構成される。例えば、表示部２０６は、制御部２０１の制御のもと、電源部２０５に備えられた二次電池の残量を図形や文字等を用いて視覚的に理解できるよう画面に表示する。ユーザは、この画面を確認して携帯電話２０の充電の要否を判断する。
【００４９】
操作部２０７は、ユーザの操作を受け付ける。操作部２０７は、受け付けた操作に対応する操作信号を制御部２０１に供給する。操作部２０７は、例えば、複数の操作キーを含むユーザインタフェース装置によって構成される。複数の操作キーには、電源キー、メニューキー、通話キー等がある。
【００５０】
なお、表示部２０６と操作部２０７とは、タッチパネルによって構成されても良い。タッチパネルは、所定の操作を受け付ける画面を表示すると共に、画面にユーザが接触した位置に対応する操作信号を制御部２０１に供給する。
【００５１】
音声入出力部２０８は、外部に音声を出力する音声出力機能と、外部から音声を入力する音声入力機能とを備える。音声出力機能は、例えば、スピーカ、ＤＡＣ（Digital Analog Converter）等によって実現される。音声出力機能は、制御部２０１から供給された音声信号をＤＡＣでＤＡ変換し、ＤＡ変換した音声信号に対応する音声をスピーカから出力する。一方、音声入力機能は、例えば、マイク、ＤＡＣ等によって実現される。音声入力機能は、電話通信部２０４による通話中において、マイクで集音したユーザの音声信号をＤＡＣでＡＤ変換し、ＡＤ変換した音声信号を制御部２０１に供給する。
【００５２】
報知部２０９は、ユーザに各種情報の報知を行う。報知部２０９は、報知用のスピーカ、ＬＥＤ（発光ダイオード）、振動モータ等によって実現される。例えば、充電検出部２０１ａは、携帯電話２０の充電開始の検出に従ってＬＥＤを発光させるなどしてユーザに充電が開始されたことを報知する。
【００５３】
次に、上記の各構成を備える情報記録システム１について、図１０及び図１１を参照して動作を説明する。
【００５４】
充電装置１０の制御部１０１（ＣＰＵ）は、例えば、充電装置１０がＡＣ電源に接続されたときに、記憶部１０２に記録された情報記録プログラム１０２ａを読み出して実行する。これにより、充電検出部１０１ａ、情報取得部１０１ｂ、及び情報記録部１０１ｃは、それぞれ以下の処理を行う。
【００５５】
一方、携帯電話２０の制御部２０１（ＣＰＵ）は、例えば、携帯電話２０の電源がオンになったときに、記憶部２０２に記録された情報提供プログラム２０２ａを読み出して実行する。これにより、充電検出部２０１ａ、情報提供部２０１ｂは、それぞれ以下の処理を行う。
【００５６】
充電装置１０において、充電検出部１０１ａは、図１０に示すように、タイマを用いて計測する位置情報の取得タイミングが到来したか否かを判別する（ステップＳ１１）。位置情報の取得タイミングは、例えば、処理開始時（電源投入時）とその１時間毎とする。
【００５７】
充電検出部１０１ａは、位置情報の取得タイミングが到来したと判別した場合（ステップＳ１１；ＹＥＳ）、ＧＰＳ通信部１０４を用いて充電装置１０の現在の緯度・経度情報を取得する。
【００５８】
充電検出部１０１ａは、記憶部１０２に記録された位置情報変換テーブル１０２ｂを用いて、取得した緯度・経度情報に対応付けられた住所情報を取得する。充電検出部１０１ａは、記憶部１０２から安否情報入力フォーム１０２ｃを読み出し、取得した住所情報を、安否情報入力フォーム１０２ｃの対応する項目に入力する（ステップＳ１２）。例えば、図７（ｂ）に示すように、充電検出部１０１ａは、取得した住所情報「X県Y市Z町  １丁目２−３」を、安否情報入力フォーム１０２ｃの対応する項目に入力する。充電検出部１０１ａは、安否情報入力フォーム１０２ｃに住所情報を入力した後、ステップＳ１３に進む。
【００５９】
一方、充電検出部１０１ａは、位置情報の取得タイミングが到来していないと判別した場合は（ステップＳ１１；ＮＯ）、携帯電話２０への充電が開始されたか否かを判別する（ステップＳ１３）。
【００６０】
充電検出部１０１ａは、携帯電話２０への充電が開始されていないと判別した場合（ステップＳ１３；ＮＯ）、ステップＳ１１に戻る。つまり、充電検出部１０１ａは、携帯電話２０への充電か開始されるまでは、位置情報の取得タイミング毎に取得した住所情報を用いて安否情報入力フォームに入力された住所情報を更新し、待機状態を維持する。
【００６１】
一方、情報取得部１０１ｂは、携帯電話２０への充電が開始されたと判別した場合（ステップＳ１３；ＹＥＳ）、非接触通信部１０３を用いて充電対象の携帯電話２０と非接触通信を行う（ステップＳ１４）。
【００６２】
一方、携帯電話２０において、充電検出部２０１ａは、図１１に示すように、携帯電話２０の電源がオンになってから、充電装置１０により充電が開始されるまで待機状態を維持する（ステップＳ２１）。
【００６３】
充電検出部２０１ａが充電装置１０により充電が開始されたと判別した場合（ステップＳ２１；ＹＥＳ）、情報提供部２０１ｂは、非接触通信部２０３を用いて充電装置１０と非接触通信を行う（ステップＳ２２）。情報提供部２０１ｂは、記憶部２０２に記録された、携帯電話２０の所有者のプロフィール情報２０２ｂから携帯電話番号を抽出する（ステップＳ２３）。情報提供部２０１ｂは、抽出した携帯電話番号を非接触通信によって充電装置１０に提供する（ステップＳ２４）。
【００６４】
その後、充電検出部２０１ａは、再度、充電装置１０による充電が開始されるまで待機状態を維持し、充電が開始されたと判別した場合（Ｓ２１；ＹＥＳ）、上記と同様の処理を行う。
【００６５】
一方、充電装置１０において、情報取得部１０１ｂは、非接触通信によって携帯電話２０から送信された携帯電話番号を取得する（ステップＳ１５）。情報記録部１０１ｃは、記憶部１０２から安否情報入力フォーム１０２ｃを読み出し、安否情報入力フォーム１０２ｃの対応する項目に情報取得部１０１ｂが取得した携帯電話番号を入力する（ステップＳ１６）。例えば、図７（ｂ）に示すように、情報記録部１０１ｃは、情報取得部１０１ｂが取得した携帯電話番号「090-12**-23**」を、安否情報入力フォーム１０２ｃの対応する項目に入力する（ステップＳ１６）。
【００６６】
つづいて、情報記録部１０１ｃは、タイマを用いて計測する安否情報の送信タイミングが到来したか否かを判別する（ステップＳ１７）。安否情報の送信タイミングは、例えば、処理開始後（電源投入後）２０分毎とする。
【００６７】
情報記録部１０１ｃは、安否情報の送信タイミングが到来していないと判別した場合（ステップＳ１７；ＮＯ）、ステップＳ１１に戻ってステップＳ１１〜Ｓ１６の処理を行う。つまり、情報記録部１０１ｃは、安否情報の送信タイミングが到来するまでは、充電検出部１０１ａによって充電が開始されたと判別された携帯電話２０から情報取得部１０１ｂが順次取得する携帯電話番号（図７（ｃ）では４つの携帯電話番号）を、安否情報入力フォーム１０２ｃの対応する項目に順次入力する。
【００６８】
一方、情報記録部１０１ｃは、安否情報の送信タイミングが到来したと判別した場合（ステップＳ１７；ＹＥＳ）、そのタイミングが到来するまでに安否情報入力フォーム１０２ｃに入力された住所情報及び携帯電話番号を用いて安否情報（記録データ）を生成する。情報記録部１０１ｃは、例えば、図９に示すように、安否情報入力フォーム１０２ｃに入力された住所情報及び携帯電話番号と、送信タイミングが到来したときの日時（記録日時）とを有する安否情報を生成する。
【００６９】
情報記録部１０１ｃは、生成した安否情報を、ネットワーク通信部１０６を介して、災害用伝言板データベース３０に送信することにより記録する（ステップＳ１８）。その後、情報記録部１０１ｃは、安否情報入力フォームに入力された情報を消去する（ステップＳ１９）。その後、充電検出部１０１ａは、ステップＳ１１に戻り、上記と同様の処理を行う。
【００７０】
災害用伝言板データベース３０は、充電装置１０から送信された安否情報を受信し、受信した安否情報を記憶部に記録する。災害用伝言板データベース３０の記憶部に記録された安否情報は、パソコン４０等の端末を用いて確認できる。
【００７１】
パソコン４０を使用するユーザの操作に従って、パソコン４０は、ネットワークＮＷを介して災害用伝言板データベース３０と通信を行う。パソコン４０の画面には、最初に災害用伝言板データベース３０から送信される安否情報確認フォームが表示される。ユーザは、この画面を確認し、確認したい身内や友人の所有する携帯電話２０の携帯電話番号（例えば、「090-12**-23**」）を安否情報確認フォームの対応する項目に入力する操作を行う。これに従って、パソコン４０は、携帯電話番号が入力された安否情報確認フォームを災害用伝言板データベース３０に送信する。
【００７２】
災害用伝言板データベース３０は、安否情報確認フォームに入力された携帯電話番号を有する安否情報を記憶部から読み出す。安否情報が複数ある場合、安否情報が有する記録日時を基に、最新の安否情報を抽出する。災害用伝言板データベース３０は、抽出した最新の安否情報を、パソコン４０に送信する。これにより、パソコン４０の画面には、例えば、図１２に示すように、「"090-12**-23**"は、X県Y市Z町  １丁目２−３にいます。（2011/7/2 12:15時点）」という内容のメッセージが表示される。これにより、ユーザは、安否情報確認フォームに入力した携帯電話番号により特定される携帯電話２０の所有者（個人）の安否を確認できる。
【００７３】
以上説明したように、本実施形態によれば、携帯電話２０への充電の開始を検出した充電装置１０が、携帯電話２０に記録された携帯電話番号（個人を特定する情報）を携帯電話２０から取得し、取得した携帯電話番号を災害用伝言板データベース３０に記録するので、基地局が何らかの原因で使用できない場合であっても、ユーザにとって煩わしい操作を必要とすることなく、個人を特定する情報を容易に記録できる。
【００７４】
なお、上記実施形態では、本発明に係る携帯端末として、携帯電話を例に説明したが、二次電池を備えた装置（充電装置によって充電される装置）であれば適宜にできる。携帯電話以外の携帯端末としては、例えば、携帯ゲーム機、タブレットＰＣ、モバイルＰＣ、携帯ＤＶＤ（Digital Versatile Disc）プレーヤ、携帯ＢＤ（Blu-ray Disc）プレーヤ、携帯ＣＤ（Compact Disc）プレーヤ等がある。
【００７５】
また、充電装置１０が行う携帯電話２０への充電は、無接点充電によるものでなくても良い。例えば、充電装置１０のコネクタを携帯電話２０の充電端子に接続し、有線ケーブルを介して携帯電話２０の充電を行っても良い。
【００７６】
また、充電装置１０と携帯電話２０との間で行われる通信は、通信ケーブルを介した有線通信でも良い。
【００７７】
また、充電装置１０は、ＧＰＳ通信部１０４に代えて、Wi-Fi（Wireless Fidelity）通信部を備えても良い。この場合、情報取得部１０１ｂは、Wi-Fi（Wireless Fidelity）通信部から住所情報を取得する。
【００７８】
また、災害用伝言板データベース３０は、災害用伝言ダイヤルサービスを提供する装置として用いても良い。この場合、固定電話や携帯電話等を使用するユーザは、災害用伝言ダイヤルサービスの電話番号に電話をかけ、確認したい携帯電話２０の携帯電話番号"090-12**-23**"をキー入力することにより、ユーザは「090-12**-23**は、X県Y市Z町  １丁目２−３にいます。2011/7/2 12:15時点」という自動音声によって安否情報を確認できる。
【００７９】
また、充電装置１０が充電の開始を検出した後、携帯電話２０から携帯電話番号を取得する形態には、充電装置１０が携帯電話２０に携帯電話番号を要求することにより携帯電話２０から取得する形態と、携帯電話２０が充電装置１０からの要求を待たずに自動的に充電装置１０に携帯電話番号を送信することにより携帯電話２０から取得する形態が考えられるが何れの形態でも良い。
【００８０】
また、携帯電話２０と充電装置１０との間で所定の認証処理を行い、その認証が成功した場合に限り、携帯電話２０の携帯電話番号を充電装置１０に送信しても良い。また、携帯電話２０は、携帯電話番号を暗号化してから充電装置１０に送信しても良い。この場合、充電装置１０は、暗号化された携帯電話番号を復号化した後、携帯電話２０の携帯電話番号を取得する。
【００８１】
また、プロフィール情報２０２ｂに含まれる個人を特定する情報であれば、そのうちの何れかの情報を用いても良い。つまり、上記実施形態では、個人を特定する情報として携帯電話番号を用いたが、それ以外の自宅の電話番号、携帯用メールアドレス、ＰＣ用メールアドレス等を用いても良い。
【００８２】
また、個人を特定する情報として、複数の情報（例えば、携帯電話番号、自宅の電話番号、携帯用メールアドレス、ＰＣ用メールアドレス）を組み合わせて用いても良い。この場合、複数の情報の何れかの情報が一致した場合に個人を特定する形態、複数の情報の全てが一致した場合に個人を特定する形態が考えられるが何れの形態でも良い。
【００８３】
さらに、充電装置１０に記録された安否情報入力フォーム１０２ｃには、身内や友人への伝言メッセージ等を入力できる項目を有しても良い。この場合、携帯電話２０の情報提供部２０１ｂは、メッセージの入力を受け付け、携帯電話２０の所有者の操作により入力されたメッセージを充電装置１０に供給する。一方、充電装置１０の情報取得部１０１ｂは、携帯電話２０で入力されたメッセージを携帯電話２０から取得し、情報記録部１０１ｃは、情報取得部１０１ｂが取得したメッセージを安否情報入力フォーム１０２ｃの対応する項目に入力する。つまり、この場合、携帯電話２０の所有者によって入力されたメッセージを含む安否情報が災害用伝言板データベース３０に記録される。
【００８４】
さらに、充電装置１０は、充電検出部１０１ａが携帯電話２０への充電の開始を検出した後、携帯電話２０から安否情報の記録を行うのか読み出しを行うのかの要求を受け付け、安否情報の読み出しを行う要求がされた場合に、情報記録部１０１ｃが災害用伝言板データベース３０に記録した安否情報を読み出す情報読み出し部を備えても良い。
【００８５】
この場合、携帯電話２０は、充電検出部２０１ａが充電装置１０により行われる充電の開始を検出した後、情報提供部２０１ｂは、安否情報の記録を行うのか読み出しを行うのかについてユーザからの要求を受け付ける。情報提供部２０１ｂは、ユーザから安否情報の読み出しを行う要求がされた場合に、ユーザの操作部２０７を用いた操作によって入力される、読み出す安否情報に含まれる携帯電話番号（個人を特定する情報）を受け取り、受け取った携帯電話番号を充電装置１０に供給することにより安否情報を要求する。
【００８６】
充電装置１０の情報読み出し部は、携帯電話２０から供給された携帯電話番号を受け取り、受け取った携帯電話番号を有する安否情報を災害用伝言板データベース３０に要求する。
【００８７】
災害用伝言板データベース３０は、充電装置１０からの要求に従って、要求された安否情報を記憶部から読み出して充電装置１０に供給する。なお、安否情報が複数ある場合、安否情報が有する記録日時を基に、最新の安否情報を抽出して充電装置１０に供給する。
【００８８】
充電装置１０の情報読み出し部は、災害用伝言板データベース３０から受け取った安否情報を要求元の携帯電話２０に供給する。また、携帯電話２０の情報提供部２０１ｂは、充電装置１０から供給された安否情報を受け取り、受け取った安否情報を表示部２０６の画面に表示する。
【００８９】
これにより、例えば、携帯電話２０を充電装置１０に充電するユーザが安否情報の読み出しを要求して、自分以外の「090-12**-23**」の携帯電話番号を入力した場合、携帯電話２０の表示部２０６の画面には、「"090-12**-23**"は、X県Y市Z町  １丁目２−３にいます。（2011/7/2 12:15時点）」というようなメッセージが表示される。このように、携帯電話２０を充電装置１０に充電するユーザは、自身の安否情報（個人を特定する情報を一部に有する情報）を容易に記録できるだけでなく、自身以外の安否情報の読み出しも容易に行うことができる。
【００９０】
なお、これまでの説明で、本システム１は、災害時に使用される場合を説明したが、本発明はこれに限定されず、個人を特定する情報を記録するシステムに適宜に応用できるものである。例えば、本発明は、会社内で入退社管理を目的として使用することもできる。具体的には、社員が入退社時に、自身の所有する携帯電話２０を会社内に設置された充電装置１０で充電することにより、充電装置１０は、携帯電話２０に記録された社員を特定する情報を携帯電話２０ら取得し、取得した携帯電話番号とその入退社時刻とを有する情報を、会社内の入退社管理データベースに記録するようにしても良い。
【００９１】
その他、本発明は、上記実施形態の説明及び図面によって限定されるものではなく、上記実施形態及び図面に適宜変更等を加えることは可能である。
【００９２】
なお、本発明に係る充電装置及び携帯端末は、通常のコンピュータにより実現できる。この場合、上記の実施形態で説明した各プログラムは、コンピュータにより実行される。また、コンピュータは、各プログラムに従って、それぞれ、上記の実施形態で説明した動作を行う。また、各プログラムは、持ち運び可能な記録媒体等に記録されたものでもよい。持ち運び可能な記録媒体には、例えば、ＣＤ−ＲＯＭ（Compact Disk Read Only Memory）等がある。また、各プログラムは、持ち運び可能な記録媒体から各種読取装置を介して、対応する充電装置及び携帯端末にインストールされたものでも良い。さらに、各プログラムは、インターネット等を介して、対応する充電装置及び携帯端末にダウンロード及びインストールされたものでもよい。また、各プログラムは、対応する充電装置または携帯端末と通信可能なサーバ等の記憶装置に格納されたものでも良い。
【００９３】
また、上記の実施形態の一部又は全部は、以下の付記のようにも記載されうるが、以下には限られない。
【００９４】
（付記１）
携帯端末への充電の開始を検出する充電検出手段と、
前記充電検出手段が前記充電の開始を検出した後、前記携帯端末から個人を特定する情報を取得する情報取得手段と、
前記情報取得手段が取得した前記個人を特定する情報を記録する情報記録手段と、を備える、
ことを特徴とする充電装置。
【００９５】
（付記２）
前記個人を特定する情報は、前記携帯端末に記録された前記携帯端末の所有者を特定する情報である、
ことを特徴とする付記１に記載の充電装置。
【００９６】
（付記３）
前記情報取得手段は、前記携帯端末からメッセージを取得し、
前記情報記録手段は、前記情報取得手段が取得した前記メッセージを記録する、
ことを特徴とする付記１または２に記載の充電装置。
【００９７】
（付記４）
前記情報取得手段は、自身の現在位置を表す位置情報を取得し、
前記情報記録手段は、前記情報取得手段が取得した前記位置情報を記録する、
ことを特徴とする付記１乃至３の何れか一に記載の充電装置。
【００９８】
（付記５）
前記情報取得手段は、前記充電検出手段が前記携帯端末への充電の開始を検出した後、前記携帯端末から前記個人を特定する情報の登録を行う要求を受け付け、前記要求がされた場合に、前記携帯端末から前記個人を特定する情報を取得する、
ことを特徴とする付記１乃至４の何れか一に記載の充電装置。
【００９９】
（付記６）
前記充電検出手段が前記携帯端末への充電の開始を検出した後、前記携帯端末から前記個人を特定する情報の読み出しを行う要求を受け付け、前記要求がされた場合に、読み出す対象の携帯端末を特定する情報を前記携帯端末から取得し、取得した前記読み出す対象の携帯端末を特定する情報を基に、前記情報記録手段が記録した前記個人を特定する情報を読み出して前記要求元の携帯端末に供給する、
ことを特徴とする付記１乃至５の何れか一に記載の充電装置。
【０１００】
（付記７）
充電装置により行われる充電の開始を検出する充電検出手段と、
前記充電検出手段が前記充電の開始を検出した後、個人を特定する情報を前記充電装置に提供する情報提供手段と、を備える、
ことを特徴とする携帯端末。
【０１０１】
（付記８）
前記個人を特定する情報は、端末本体に記録された所有者を特定する情報である、
ことを特徴とする付記７に記載の携帯端末。
【０１０２】
（付記９）
前記情報提供手段は、前記充電検出手段が前記充電の開始を検出した後、外部からメッセージの入力を受け付け、前記入力がされた場合に、前記メッセージを前記充電装置に供給する、
ことを特徴とする付記７または８に記載の携帯端末。
【０１０３】
（付記１０）
前記情報提供手段は、前記充電検出手段が前記充電の開始を検出した後、外部から前記個人を特定する情報の登録を行う要求を受け付け、前記要求がされた場合に、前記個人を特定する情報を前記充電装置に供給する、
ことを特徴とする付記７乃至９の何れか一に記載の携帯端末。
【０１０４】
（付記１１）
前記情報提供手段は、前記充電検出手段が前記充電の開始を検出した後、外部から前記個人を特定する情報の読み出しを行う要求を受け付け、前記要求がされた場合に、外部から読み出す対象の携帯端末を特定する情報を受け取り、受け取った前記携帯端末を特定する情報を前記充電装置に供給し、前記充電装置によって読み出された前記携帯端末を特定する情報を前記充電装置から受け取る、
ことを特徴とする付記７乃至１０の何れか一に記載の携帯端末。
【０１０５】
（付記１２）
携帯端末と、前記携帯端末への充電を行う充電装置とを備える情報記録システムであって、
前記充電装置は、
前記携帯端末への充電の開始を検出する充電検出手段と、
前記充電検出手段が前記充電の開始を検出した後、前記携帯端末から個人を特定する情報を取得する情報取得手段と、
前記情報取得手段が取得した前記個人を特定する情報を記録する情報記録手段と、を備え、
前記携帯端末は、
前記充電装置により行われる充電の開始を検出する充電検出手段と、
前記充電検出手段が前記充電の開始を検出した後、前記個人を特定する情報を前記充電装置に提供する情報提供手段と、を備える、
ことを特徴とする情報記録システム。
【０１０６】
（付記１３）
携帯端末への充電の開始を検出する充電検出ステップと、
前記充電検出ステップで前記充電の開始を検出した後、前記携帯端末から個人を特定する情報を取得する情報取得ステップと、
前記情報取得ステップで取得した前記個人を特定する情報を記録する情報記録ステップと、を有する、
ことを特徴とする情報記録方法。
【０１０７】
（付記１４）
充電装置により行われる充電の開始を検出する充電検出ステップと、
前記充電検出ステップで前記充電の開始を検出した後、個人を特定する情報を前記充電装置に提供する情報提供ステップと、を有する、
ことを特徴とする情報提供方法。
【０１０８】
（付記１５）
コンピュータに、
携帯端末への充電の開始を検出する充電検出手順と、
前記充電検出手順で前記充電の開始を検出した後、前記携帯端末から個人を特定する情報を取得する情報取得手順と、
前記情報取得手順で取得した前記個人を特定する情報を記録する情報記録手順と、を実行させる、
ことを特徴とする情報記録プログラム。
【０１０９】
（付記１６）
コンピュータに、
充電装置により行われる充電の開始を検出する充電検出手順と、
前記充電検出手順で前記充電の開始を検出した後、個人を特定する情報を前記充電装置に提供する情報提供手順と、を実行させる、
ことを特徴とする情報提供プログラム。
【符号の説明】
【０１１０】
１  情報記録システム
１０  充電装置
２０  携帯電話（携帯端末）
３０  災害用伝言板ＤＢ
４０  パソコン
１０１  制御部
１０１ａ  充電検出部
１０１ｂ  情報取得部
１０１ｃ  情報記録部
１０２  記憶部
１０２ａ  情報記録プログラム
１０２ｂ  位置情報変換テーブル
１０２ｃ  安否情報入力フォーム
１０３  非接触通信部
１０４  ＧＰＳ通信部
１０５  電源部
１０６  ネットワーク通信部
２０１  制御部
２０１ａ  充電検出部
２０１ｂ  情報提供部
２０２  記憶部
２０２ａ  情報提供プログラム
２０２ｂ  プロフィール情報
２０３  非接触通信部
２０４  電話通信部
２０５  電源部
２０６  表示部
２０７  操作部
２０８  音声入出力部
２０９  報知部
ＮＷ  ネットワーク
ＢＳ  基地局
【図１】
2013074342.tif 000003
【図２】
2013074342.tif 000004
【図３】
2013074342.tif 000005
【図４】
2013074342.tif 000006
【図５】
2013074342.tif 000007
【図６】
2013074342.tif 000008
【図７】
2013074342.tif 000009
【図８】
2013074342.tif 000010
【図９】
2013074342.tif 000011
【図１０】
2013074342.tif 000012
【図１１】
2013074342.tif 000013
【図１２】
2013074342.tif 000014